(57)【特許請求の範囲】
【請求項１】
親テレビと、該親テレビの制御下におかれた子テレビとより構成され、親テレビのディスプレイの一部に子テレビで放映されている映像が映し出されることを特徴とするテレビ受信システム。
【請求項２】
親テレビに子テレビの受信チャンネル変更機能及び子テレビの電源オフ機能が設けられている請求項１に記載のテレビ受信システム。
【請求項３】
親テレビによる子テレビの受信チャンネル変更及び子テレビの電源オフは、一定時間保持される請求項２に記載のテレビ受信システム。
【発明の詳細な説明】
【０００１】
【発明の属する技術分野】
本発明は、家庭で使用されているテレビ受信システムで、特に複数台のテレビを有する家庭におけるテレビ受信システムに関するものである。
【０００２】
【従来の技術】
趣味の多様化に応じて、テレビ放映のチャンネル数が増え、子供の教育に悪影響を与える成人向けの番組も放映されるようになってきている。また、生活水準の向上により、子供のそれぞれが子供部屋を持ち、各部屋にテレビを設置している家庭が多くなってきている。そして各テレビはそれぞれ独立しているので、未成年の子供が自室で成人向けの番組を親に内緒で見たり、深夜までテレビを見続けても、親は監視することができず、教育に悪影響を与え、勉学に差し支えることとなってきている。
【０００３】
【発明が解決しようとする課題】
そこで本発明は、子供の教育に悪影響を与たり、勉学に差し支えることが生じないように、子供部屋に設置されている各テレビの放映内容を、親が監視できるようにしたテレビ受信システムを提供することである。
【０００４】
【課題を解決するための手段】
上記目的を達成するために、本発明は、親テレビと、該親テレビの制御下におかれた子テレビとより構成され、親テレビのディスプレイの一部に子テレビで放映されている映像が映し出されるようになっている。そして、子供部屋に子テレビを設置し、親の部屋に親テレビを設置すれば、子供が見ている子テレビの放映内容を親テレビで親が監視することができ、教育に悪影響を与えたり勉学に差し支える場合には、親が注意をすることができる。
【０００５】
そして、親テレビに子テレビの受信チャンネル変更機能及び子テレビの電源オフ機能が設けられているので、親は子供部屋まで行かずに、受信チャンネルを変えたり、電源をオフすることができる。また、親テレビによる子テレビの受信チャンネル変更及び子テレビの電源オフは、一定時間保持されるので、両者によるいたちごっこが防止できる。
【０００６】
【発明の実施の形態】
以下、本発明のテレビ受信システムの実施の形態を説明する。図１に示すように、親テレビ１０は子供の保護者が使用している部屋１に設置され、各子テレビ２０Ａ、２０Ｂはそれぞれ子供部屋２、３に設置されている。そして、各テレビ１０、２０Ａ、２０Ｂにはテレビアンテナ４からのアンテナ線５が接続され、送られてくる各チャンネルの番組が映し出されるようになっている。なお図１中の符号１１、２１は各テレビ１０、２０Ａ、２０Ｂへのリモコン入力器である。
【０００７】
図２に示すように、親テレビ１０のリモコン入力器１１には、テレビ選択釦１２と電源釦１３とチャンネル選択釦１４等の各種釦が設けられ、各釦１２、１３、１４が押されたときに無線でそれらの制御信号を出力するようになっている。親テレビ１０には、リモコン入力器１１からの制御信号を受けてその制御信号を出力する受信手段１５と、受信手段１５からの制御信号を受けて親テレビ１０の電源のオン・オフ及びチャンネル選択等を制御し、子テレビ２０Ａ、２０Ｂへ電源のオン・オフ信号及びチャンネル選択信号等の制御信号を出力する親テレビ制御手段１６と、親テレビ制御手段１６から受けたチャンネル選択信号でアンテナ線５からのチャンネルを選択し、選択されたチャンネルの映像信号を出力するチャンネル受信手段１７と、チャンネル受信手段１７及び子テレビ２０Ａ、２０Ｂからの映像信号を合成して合成画像信号を出力する映像合成手段１８と、映像合成手段１８から受けた合成画像信号を映し出すディスプレイ１９が設けられている。そして、図１に示すようにディスプレイ１９の隅部１９Ａには子テレビ２０Ａの映像が、隅部１９Ｂには子テレビ２０Ｂの映像が映し出されるようになっている。
【０００８】
子テレビ２０Ａのリモコン入力器２１には、電源釦２３とチャンネル選択釦２４等の各種釦が設けられ、各釦２３、２４が押されたときに無線でそれらの制御信号を出力するようになっている。子テレビ２０Ａには、リモコン入力器２１からの制御信号を受けてその制御信号を出力する受信手段２５と、受信手段２５からの制御信号を受けて子テレビ２０Ａの電源のオン・オフ及びチャンネル選択等を制御し、親テレビ１０から入力する電源のオン・オフ信号及びチャンネル選択信号等の制御信号を受けて子テレビ２０Ａを制御する子テレビ制御手段２６と、子テレビ制御手段２６から受けたチャンネル選択信号でアンテナ線５からのチャンネルを選択し、選択されたチャンネルの映像信号を出力するチャンネル受信手段２７と、チャンネル受信手段２７から受けた映像信号を映し出すディスプレイ２９が設けられている。
【０００９】
なお、子テレビ２０Ｂは子テレビ２０Ａと同一であり、その説明は省略する。
【００１０】
次に、本発明のテレビ受信システムの動作を説明する。まず親テレビ１０の基本制御の態様を、図３に示す親テレビ１０の親テレビ制御手段１６のフロー図に基づいて説明すると、親テレビ１０を点けるには、リモコン入力器１１の電源釦１３を押すと、電源オン信号が受信手段１５を介して親テレビ制御手段１６に入力し（図３  ＳＴ１）、親テレビ１０の電源がオンして（図３  ＳＴ２）、映像がディスプレイ１９に映し出される。そしてリモコン入力器１１のチャンネル選択釦１４を押すとチャンネル選択信号が受信手段１５を介して親テレビ制御手段１６に入力し（図３  ＳＴ３）、親テレビ制御手段１６はチャンネル受信手段１７へチャンネル切替信号を伝へ（図３  ＳＴ４）、チャンネルが切り替わり、アンテナ線５からチャンネル受信手段１７及び映像合成手段１８を介してディスプレイ１９に映し出される映像が変わる。そして親テレビ１０を消すには、リモコン入力器１１の電源釦１３を押すと、電源オフ信号が受信手段１５を介して親テレビ制御手段１６に入力し（図３  ＳＴ５）、親テレビ１０の電源はオフされ（図３  ＳＴ６）、ディスプレイ１９の映像は消える。
【００１１】
次に図４に示す親テレビ１０の親テレビ制御手段１６のフロー図に基づいて、親テレビ１０による子テレビ２０Ａ、２０Ｂの制御の態様を説明すると、親テレビ１０を点けているときに、子テレビ２０Ａ、２０Ｂも点いていると、子テレビ２０Ａ、２０Ｂからの映像は映像合成手段１８で合成され、親テレビ１０のディスプレイ１９の隅部１９Ａ、１９Ｂに映し出されている。この隅部１９Ａ、１９Ｂの映像により、子供が見ている子テレビ２０Ａ、２０Ｂの放映内容を親テレビ１０で親が監視することができ、教育に悪影響を与えたり勉学に差し支える場合には、親が注意をすることができるようになる。
【００１２】
そして、例えば子テレビ２０Ａの映像が子供の教育に悪影響を与えると思われる場合は、リモコン入力器１１の子テレビ２０Ａ側のテレビ選択釦１２を押して、チャンネル選択釦１４を押すと、選択された子テレビ２０Ａのチャンネル選択信号が受信手段１５を介して親テレビ制御手段１６に入力し（図４  ＳＴ１、ＳＴ２）、親テレビ制御手段１６は子テレビ２０Ａへチャンネル切替信号を出力する（図４  ＳＴ３）。そして、後述するようにチャンネル切替信号を受けて、子テレビ２０Ａのチャンネルは切り替えられる。このように親テレビ１０側で子テレビ２０Ａ、２０Ｂのチャンネルを変えることができるので、親は子供部屋まで行かなくても良くなる。
【００１３】
また例えば夜遅くまで子テレビ２０Ａを点けているのでこれを強制的に消す場合には、リモコン入力器１１のテレビ選択釦１２を押して、電源釦１３を押すと、選択された子テレビ２０Ａの電源オフ信号が受信手段１５を介して親テレビ制御手段１６に入力し（図４  ＳＴ１、ＳＴ４）、親テレビ制御手段１６は子テレビ２０Ａへ電源オフ信号を出力する（図４  ＳＴ５）。そして、後述するように電源オフ信号を受けて、子テレビ２０Ａの電源はオフされる。このように親テレビ１０側で子テレビ２０Ａ、２０Ｂの電源を切ることができるので、親は子供部屋まで行かなくても良くなる。
【００１４】
また、子テレビ２０Ｂのチャンネルを変えるには、リモコン入力器１１のテレビ選択釦１２を押して、チャンネル選択釦１４を押すと、選択された子テレビ２０Ｂのチャンネル選択信号が親テレビ制御手段１６に入力し（図４  ＳＴ６、ＳＴ７）、親テレビ制御手段１６は子テレビ２０Ｂへチャンネル切替信号を出力し（図４  ＳＴ８）、子テレビ２０Ｂのチャンネルは切り替えられる。そして、子テレビ２０Ｂを強制的に消す場合には、リモコン入力器１１のテレビ選択釦１２を押して、電源釦１３を押すと、選択された子テレビ２０Ｂの電源オフ信号が親テレビ制御手段１６に入力し（図４  ＳＴ６、ＳＴ９）、親テレビ制御手段１６は子テレビ２０Ｂへ電源オフ信号を出力し（図４  ＳＴ１０）、子テレビ２０Ｂの電源はオフされる。
【００１５】
次に図５のフロー図に基づいて、子テレビ２０Ａの制御の態様を説明すると、子テレビ２０Ａを点けるには、リモコン入力器２１の電源釦２３を押すと電源オン信号が受信手段２５を介して子テレビ制御手段２６に入力し（図５  ＳＴ１）、後述する図５のステップＳＴ１２の態様によりテレビ電源オフが保持中でない場合は（図５  ＳＴ２）、子テレビ２０Ａの電源はオンして（図５  ＳＴ３）、ディスプレイ２９に映像が映し出される。そしてリモコン入力器２１のチャンネル選択釦２４を押すとチャンネル選択信号が受信手段２５を介して子テレビ制御手段２６に入力し（図５  ＳＴ４）、この信号は親テレビ１０からでなく（図５ＳＴ５）、この選択されたチャンネルが後述する図５のステップＳＴ８の態様によりチャンネル禁止中でない場合は（図５  ＳＴ６）、子テレビ制御手段２６からチャンネル切替信号がチャンネル受信手段２７へ出力され（図５  ＳＴ７）、アンテナ線５から入力する映像が切り替わり、子テレビ２０Ａに映し出される映像が変わる。
【００１６】
図５のステップＳＴ４において、子テレビ制御手段２６に入力したチャンネル選択信号が親テレビ１０からの場合、即ち図４のステップＳＴ３で説明したように教育上の悪影響などを考慮して親がチャンネルを変えたときは（図５  ＳＴ５）、子テレビ制御手段２６はチャンネル切替信号をチャンネル受信手段２７へ出力し、今まで放映されていたチャンネルを一定時間、例えば１時間の間チャンネル禁止保持をおこなう（図５  ＳＴ８）。これにより、親テレビ１０からチャンネルを変えられた場合は、チャンネル禁止が１時間保持され、親と子のチャンネル切替のいたちごっこが防止される。
【００１７】
そして子テレビ２０Ａを消すには、リモコン入力器２１の電源釦２３を押すと電源オフ信号が受信手段２５を介して子テレビ制御手段２６に入力し（図５  ＳＴ９）、子テレビ２０Ａの電源はオフされ（図５  ＳＴ１０）、ディスプレイ２９の映像は消える。
【００１８】
図５のステップＳＴ９において、子テレビ制御手段２６に入力した電源オフ信号が親テレビ１０からの場合、即ち図４のステップＳＴ５で説明したように教育上の悪影響などを考慮して親が電源をオフしたときは（図５  ＳＴ１１）、テレビ電源オフを一定時間、例えば１時間の間保持する（図５  ＳＴ１２）。これにより、親テレビ１０から電源を切られた場合は、電源オフが１時間保持され、親と子の電源オン・オフのいたちごっこが防止される。
【００１９】
なお、親テレビ１０のリモコン入力器１１に子テレビ２０Ａ、２０Ｂのチャンネル選択禁止釦を設け、この釦が押されたときに親テレビ制御手段１６が子テレビ制御手段２６へチャンネル選択禁止信号を伝えて登録し、禁止が掛けられたチャンネルを選択できないようにしても良い。このようにすると、テレビの番組を見て予め子テレビ２０Ａ、２０Ｂのチャンネル選択禁止をすることができるようになる。
【００２０】
【発明の効果】
以上説明したように本発明のテレビ受信システムは、親テレビと、該親テレビの制御下におかれた子テレビとより構成され、親テレビのディスプレイの一部に子テレビで放映されている映像が映し出されるようになっているので、子供部屋に子テレビを設置し、親の部屋に親テレビを設置すれば、子供が見ている子テレビの放映内容を親テレビで親が監視することができ、教育に悪影響を与えたり勉学に差し支える場合には、親が注意をすることができるようになる。また、チャンネル選択禁止の登録機能を設けることにより、親が留守の場合でも有効である。
【図面の簡単な説明】
【図１】本発明のテレビ受信システムの全体を示す構成図である。
【図２】本発明のテレビ受信システムのブロック図である。
【図３】親テレビ制御手段の基本のフロー図である。
【図４】親テレビ制御手段の子テレビを制御するフロー図である。
【図５】子テレビ制御手段のフロー図である。
【符号の説明】
１  部屋
２、３  子供部屋
４  アンテナ
５  アンテナ線
１０  親テレビ
１１、２１、  リモコン入力器
１２  テレビ選択釦
１３、２３  電源釦
１４、２４  チャンネル選択釦
１５、２５  受信手段
１６  親テレビ制御手段
１７、２７  チャンネル受信手段
１８  映像合成手段
１９、２９  ディスプレイ
２０Ａ、２０Ｂ  子テレビ
【図１】
0003627431.tif 000002
【図２】
0003627431.tif 000003
【図３】
0003627431.tif 000004
【図４】
0003627431.tif 000005
【図５】
0003627431.tif 000006